(57)【要約】【課題】人のもつ波動エネルギーを利用し占いの一手法であるダウンジング占いを目的とする電子装置及びこれを利用したシステムに関する。【解決手段】従来のダウンジング方式を改良し振り子の先端に光源または受光装置のいずれかを取り付け、振り子の動きを電気的な信号として受光装置で捕らえ電気信号に変換しその動きを数値データとしてパソコンに取り込み占いソフトで利用する。【選択図】図１
2007307321.tif 000002
【特許請求の範囲】
【請求項１】
ダウンジングを行う為の振り子と、光源と、光源の光を受光し電気信号に変換しパソコンと連動して働く受光装置と、この電気信号を解析して占うパソコンソフトから構成される電子式ダウンジングシステム。
【請求項２】
請求項１に記載の光源は振り子の中に設置し、受光装置は座盤の中に設置した事を特徴とする請求項１記載の電子ダウンジングシステム。
【請求項３】
請求項１に記載の光源は座盤に設置し、受光装置は振り子の中に設置した事を特徴とする請求項１記載の電子ダウンジングシステム。
【請求項４】
請求項１に記載の光源および受光装置は座盤に設置し、光を反射する鏡を振り子の中に設置した事を特徴とする請求項１記載の電子ダウンジングシステム。
【請求項５】
電子カメラを振り子の中に埋設し、座盤には占い画像を描いた紙片を乗せて利用する事を特徴とする請求項１記載の電子ダウンジングシステム。
【発明の詳細な説明】
【技術分野】
【０００１】本発明は人のもつ波動エネルギーを利用し占いの一手法であるダウンジング占いを目的とする電子装置及びこれを利用したシステムに関する。
【背景技術】
【０００２】人体から発せられる波動エネルギーは、文字、数字、図形、色などを認識しそれに互いに同調、反発する。従ってそれを利用する占いの手法にダウンジングがある。ダウンジングとは、利用者が細い糸を付けた振り子を、紙の上に描かれた文字、数字、絵などの上に垂下し、利用者は願い事や悩み事を念じ、質問形式で紙上の図形をなぞりながらその動く振り子の動きから質問に対する回答を得るものである。
【発明の開示】
【発明が解決しようとする課題】
【０００３】しかしながらこの場合振り子の動きが軌跡として保存記録されるわけでは無いために、その動きをパターン認識する事が出来ずその為に占いの標準化された判断ができなかった。つまり利用者はその都度勘にによる判断を行っていた。この点を改善する為には振り子の動きを計測し数値データ化してパソコンへ取り込む必要があるがこようなシステムは未だ提供されていない。また色々な占いを行う場合には、ダウンジング用の図柄をその都度取り換えなければならない等の不便さがあった。
本発明は上記事由に鑑みてなされたものであり、その目的とする所は、ダウンジングによる振り子の移動量をパソコン本体に数値データに変換して取り込み利用者側で用意した種々の占いソフトの基データとして利用する事にある。
【課題を解決するための手段】
【０００４】本発明は前記課題を解決するために行うものであり、主たるの特徴は従来のダウンジング方法を改良し、ダウンジングをおこなう振り子の動きを電気信号として取り出しこれを数値データ化し時系列的にパソコン本体に取り込みを行う点にある。【０００５】「電子式ダウンジングシステム」
従来の細い糸と振り子で構成したダウンジング方式を改良し振り子の先端に光源または受光装置のいずれか又は同時に取り付け、振り子の動きを電気的な信号として取り扱った点に特徴がある。光源から発せられた光は受光装置で捕らえられ電気信号に変換され、計測された振り子の運動量、回転量は数値データとしてパソコンに取り込まれる。なおパソコンへのデータ転送形態は無線、有線いずれかでもかまわない。
【発明を実施するための最良の形態】
【０００６】次に図面を参照しながら本発明の第一、第二、第三および第四の実施の形態を説明する。【０００７】（第一の実施の形態）
以下、本発明の第一の実施形態を図１を参照しながら説明する。
この実施の形態は座盤Ｂの中に受光装置１０を組み込むところに特徴がある。受光装置１０は、光を受光する機構、この機構では光源の方向を検出しそれを電気信号に変換する変換機構およびパソコンＣへのデータ送信機構から形成される。また振り子Ａの中に光源２０、電池３０を組み込む。光源２０は発光ダイオード、電球などが用いられる。なお光源２０は利用時には常に発光させておく。振り子Ａは細糸０２により吊り輪０１に吊り下げられている。ケーブル０３は受光装置１０とパソコンＣを連結する電気信号ケーブルである。【０００８】（第二の実施の形態）
以下、本発明の第二の実施形態を図２を参照しながら説明する。
この実施の形態の特徴は振り子Ａの中に受光装置１０、座盤Ｂの中に光源２０、電池３０が組み込むところに特徴がある。振り子Ａの受光装置１０は、座盤Ｂの光源２０から発せられた光を受信し電気信号に変換してケーブル０３を経由してパソコンＣに送り込んでいる。【０００９】（第三の実施の形態）
以下、本発明の第三の実施形態を図３を参照しながら説明する。
この実施の形態の特徴は、座盤Ｂの中に光源２０と受光装置１０とを併設して組み込んだ点に特徴がある。なおこの場合に光源２０を光らせる為の電力はパソコンから得ている。光源２０から発せられた光は振り子Ａに設けられた鏡４０で反射し座盤Ｂに設置した受光装置１０により取り込まれる。取り込まれた光信号は受光装置１０の変換機構により電気信号となりケーブル０３を経由してパソコンＣへ送り込まれる。なおこの実施形態を変更し、光源２０と受光装置１０を振り子Ａの中に、また鏡４０を座盤Ｂの中に設置し、ケーブル０３は振り子Ａと連結しても同じ効果が期待できる事は言うまでもない。【００１０】（第四の実施の形態）
以下、本発明の第四の実施形態を図４を参照しながら説明する。
この実施の形態の特徴は振り子Ａの中に電子カメラ５０を組み込んだ点に特徴がある。座盤Ｂにはパソコンに取り込みたい画像、例えば占いに関する手書きまたは印刷された絵、文字、数字などからなる画像を紙面６０に描き座盤１０に乗せる。この電子カメラ５０により紙片６０に描かれた諸々の情報はイメージ画像としてパソコンＣに取り込まれ占いソフトで利用される。
【利用方法】
【００１１】利用者が本提案によるダウンジング占いを行うに際して、まずパソコン内に導入されている占いソフトを事前に稼働させておく。占いソフトでは占いの目的で用いる画像を複数準備しているので利用者はその目的に応じた画像を選択しパソコン画面上に表示を行う。なお占いの方法として一つの占いが終われば別な画像に表示させて利用することも出来るし同時に複数の画像をパソコン画面に表示させながら占いを行う事も可能である。利用者は光源２０を常時点灯し、受光装置１０の中心に向けて照射する。利用者はパソコン画面を見つめながら念じ振り子Ａをダウンジングさせる。しばらくするとダウンジング現象により振り子Ａが揺れ始める。この揺れは受光装置１０によりキャッチされ移動量として数値データとして電気的に変換されパソコン内に取り込まれていく。この場合に時系列データとしてパソコン内に保存され振り子Ａの動きを示した軌跡として捕らえる事ができる。占いソフトはこの数値データを占いの基礎データに使いその動きを解析しパターン分析により利用者が求める占いの回答を画面に表示する事ができる。なお第四の実施の形態では、占いを行う為の画像イメージを電子カメラ５０にて座盤Ｂに置かれた紙面から読み取りこれはそのまま占いソフトの画像データとなる。
【図面の簡単な説明】
【００１２】
【図１】    本発明の第一の実施の形態に関わる部品の構成図である。
【図２】    本発明の第二の実施の形態に関わる部品の構成図である。
【図３】    本発明の第三の実施の形態に関わる部品の構成図である。
【図４】    本発明の第四の実施の形態に関わる部品の構成図である。
【符号の説明】
【００１３】      Ａ      振り子
Ｂ      座盤
Ｃ      パソコン
０１    吊り輪
０２    細糸
０３    ケーブル
１０    受光装置
２０    光源
３０    電池
４０    鏡
５０    電子カメラ
６０    紙片
【図１】
2007307321.tif 000003
【図２】
2007307321.tif 000004
【図３】
2007307321.tif 000005
【図４】
2007307321.tif 000006